(57)【要約】【課題】  押圧部材によって遊技盤の一側面のみを圧着すれば足りる遊技盤固定装置を提供する。【解決手段】  遊技機本体に固設される取付基体１と、基端部が取付基体の一部位に回動自在に軸支される可動部材３と、可動部材に装着され遊技盤に当接させる押圧部材９と、基端部が取付基体の他部位に回動自在に軸支されるリンク部材５と、一部位が可動部材の基端部から適宜離間した部位に回動自在に軸支されると共に他部位がリンク部材の先端部に回動自在に軸支される操作レバー８とを備え、該操作レバーを回動操作することで操作レバー及びリンク部材の軸支部を可動部材及び操作レバーの軸支部と取付基体及びリンク部材の軸支部を結ぶ直線を越える位置に移動させることにより、該可動部材に取り付けられた押圧部材が遊技盤に圧着した状態で保持されるようにした。【選択図】  図２
2017143871.tif 000002
【特許請求の範囲】
【請求項１】
遊技機本体に装着される遊技盤を所定位置で固定する遊技盤固定装置であって、
遊技機本体に固設される取付基体と、基端部が前記取付基体の一部位に回動自在に軸支される可動部材と、前記可動部材に装着され前記遊技盤に当接させる押圧部材と、基端部が前記取付基体の他部位に回動自在に軸支されるリンク部材と、一部位が前記可動部材の基端部から適宜離間した部位に回動自在に軸支されると共に他部位が前記リンク部材の先端部に回動自在に軸支される操作レバーとを備え、
前記操作レバーを回動操作することで前記可動部材を回動させると共に該可動部材に装着された押圧部材を遊技盤に当接させ、さらに該操作レバーを回動操作することで前記操作レバー及び前記リンク部材の軸支部を前記可動部材及び前記操作レバーの軸支部と前記取付基体及び前記リンク部材の軸支部を結ぶ直線を越える位置に移動させることにより、該可動部材に取り付けられた押圧部材が遊技盤に圧着した状態で保持されるようにしたことを特徴とする遊技盤固定装置。
【請求項２】
形状又は寸法の異なる数種の押圧部材を成形し、これら数種の押圧部材の取付部の形状を同一に形成することで、前記可動部材に交換可能に装着し得るようにしたことを特徴とする請求項１記載の遊技盤固定装置。
【発明の詳細な説明】
【技術分野】
【０００１】
本発明は、遊技機本体内に装着される遊技盤を所定位置で固定する遊技盤固定装置に関するものである。
【背景技術】
【０００２】
一般に、遊技場に設けられるパチンコ遊技機は、遊技盤を新しいものに交換できるよう遊技機本体内に遊技盤が着脱可能となるように固定されている。ここで、下記特許文献１には、ベース部材とクランプ部材により遊技盤の縁部を両面から挟着する遊技盤固定装置（クランプ装置）が示されており、この遊技盤固定装置は、アンクランプ部材を操作することによって遊技盤を着脱可能に固定できるようにしている。
【先行技術文献】
【特許文献】
【０００３】
【特許文献１】特許第５４２０３４８号公報
【発明の概要】
【発明が解決しようとする課題】
【０００４】
ところで、近時のパチンコ遊技機の遊技盤は、従来から用いられている合板製のものに限らず、プラスチック製のものが成形されるようになってきているが、こうしたプラスチック製のものは、従来の合板製のものと比較して強度が弱いという問題がある。そのため、特許文献１に示されている遊技盤固定装置のように、クランプ部材によって遊技盤の縁部を両面から強固に挟着するようになっていると、プラスチック製の遊技盤に対して強い力が掛かり、場合によっては、遊技盤を破損させてしまうおそれがあった。また、プラスチック製の遊技盤は、外周縁の形状や厚さが従来の合板製のものよりも多様になってきているが、特許文献１に示されているような遊技盤固定装置は、遊技盤の縁部を両面から挟着するように設計されているため、遊技盤の形状や厚さ等が変わる度に、遊技盤固定装置自体を設計し直す必要があり、ひいては、パチンコ遊技機の製造コストを上昇させてしまうという問題が生じている。
【０００５】
そこで、本発明は、前記課題を解決すべくなされたもので、遊技盤を固定するにあたって、遊技盤に無理な力が掛かることを防ぐと共に、遊技盤の外周縁の形状や厚さが多様であっても対応可能な汎用性を有する遊技盤固定装置を提供することを目的とするものである。
【課題を解決するための手段】
【０００６】
かかる目的を達成するため本発明は、遊技機本体に装着される遊技盤を所定位置で固定する遊技盤固定装置であって、遊技機本体に固設される取付基体と、基端部が前記取付基体の一部位に回動自在に軸支される可動部材と、前記可動部材に装着され前記遊技盤に当接させる押圧部材と、基端部が前記取付基体の他部位に回動自在に軸支されるリンク部材と、一部位が前記可動部材の基端部から適宜離間した部位に回動自在に軸支されると共に他部位が前記リンク部材の先端部に回動自在に軸支される操作レバーとを備え、前記操作レバーを回動操作することで前記可動部材を回動させると共に該可動部材に装着された押圧部材を遊技盤に当接させ、さらに該操作レバーを回動操作することで前記操作レバー及び前記リンク部材の軸支部を前記可動部材及び前記操作レバーの軸支部と前記取付基体及び前記リンク部材の軸支部を結ぶ直線を越える位置に移動させることにより、該可動部材に取り付けられた押圧部材が遊技盤に圧着した状態で保持されるようにしたことを特徴としている。
【０００７】
また、本発明は、形状又は寸法の異なる数種の押圧部材を成形し、これら数種の押圧部材の取付基部の形状を同一に形成することで、前記可動部材に交換可能に装着し得るようにしたことを特徴としている。
【発明の効果】
【０００８】
本発明に係る遊技盤固定装置によれば、遊技盤を固定するにあたり、押圧部材によって遊技盤の一側面のみを圧着すれば足りるので、遊技盤に無理な力を掛けることがなく、ひいては、遊技盤が破損するなどの不都合を未然に防止することができる。しかも、押圧部材によって遊技盤が圧着されると、この押圧状態が、以後、維持されることになる。
【０００９】
また、本発明に係る遊技盤固定装置によれば、取付基体、可動部材及び操作レバーを共通部品とし、使用箇所の寸法や形状に合わせて押圧部材を付け替えるだけで種々の遊技盤、若しくは遊技機に対応できるので、遊技盤固定装置の製造コスト、ひいては遊技機の製造コストを大幅に軽減することができる。
【図面の簡単な説明】
【００１０】
【図１】遊技盤が装着された状態を示すパチンコ遊技機の正面図。
【図２】遊技盤固定装置を前方から見た斜視図。
【図３】遊技盤固定装置を前方から見た分解斜視図。
【図４】遊技盤固定装置を後方から見た斜視図。
【図５】遊技盤固定装置を後方から見た分解斜視図。
【図６】遊技盤固定装置の動作状態を示す水平断面図。
【図７】（ａ）押圧部材の変形例を示す斜視図。（ｂ）押圧部材の変形例を装着した遊技盤固定装置の使用例を示す要部正面図。
【発明を実施するための形態】
【００１１】
以下、本発明に係る遊技盤固定装置の実施の形態を図面に基づき説明する。なお、遊技盤固定装置は、例えばパチンコ遊技機、雀球機、アレパチ機等の種々の遊技機に適用可能であるが、本実施の形態では、パチンコ遊技機を例として説明する。そこで、まず、本発明に係る遊技盤固定装置が適用されるパチンコ遊技機についてあらかじめ説明しておく。図１は遊技盤が装着された状態を示すパチンコ遊技機の正面図である。パチンコ遊技機Ｐは、遊技機本体１００と該遊技機本体１００の前面にその左側を軸着して開閉自在に装着される透明板保持枠１０１とから構成されている。
【００１２】
遊技機本体１００は、長方形状の機枠１０２と、その前面に左側を軸着して開閉自在に装着される本体枠１０３とからなっている。そして、本体枠１０３の前面上部には、後方へ窪んで遊技盤１０４をその前側から取り付けまたは取り外すことができる方形状の遊技盤収納凹部１０５が形成されている。また、本体枠１０３の下部前面に、右側に寄せて打球発射レール１０６及び該打球発射レール１０６に供給される遊技球を遊技盤１０４の遊技部１０４ａに打ち込むための打球発射装置１０７が配置される。更に、その左側には、零れ球やファール球を受け入れて後記する下球皿１０９に排出する遊技球集合通路樋１０８が配置されている。さらに、本体枠１０３の下部前面には、下球皿１０９が装着されると共に、その右側に打球発射レール１０６から発射される遊技球の打球力を調整するための打球力調整ハンドル１１０が装着されている。
【００１３】
前記遊技盤１０４は、プラスチックにより略正方形状に成形されている。また、遊技盤１０４の正面視右側上下角部のそれぞれに横長矩形状に切り欠かれていると共に、該切り欠き部分に遊技盤１０４の前面より後方へやや凹ませた係止片部１０４ｂ，１０４ｂが形成されている。なお、この係止片部１０４ｂ，１０４ｂに、後述する遊技盤固定装置Ａ，Ａの押さえ片５４が圧着されることにより、遊技盤１０４が本体枠１０３に対して固定されることになる。遊技盤１０４の前面には内側ガイドレール１１１ａと外側ガイドレール１１１ｂが円形状に敷設され、内側・外側ガイドレール１１１ａ，１１１ｂに囲まれるようにして遊技部１０４ａが形成される。この遊技部１０４ａには、その中央部に盤面部品として図柄を変動表示する可変表示装置１１２が配設され、その下方に遊技球の入賞により該可変表示装置１１２が作動する始動入賞口１１３が配設される。また、その下方に前記図柄が特定の図柄（例えば、「７７７」）に揃って「大当り」という遊技者に有利な特別遊技状態となったとき、一定の条件の下で開成し一度に多くの入賞球を発生させる入賞装置１１４が配設されている。遊技部１０４ａの中央最下部には、アウト球を遊技盤１０４の後側へ排出するためのアウト球排出口１１５が開設されている。なお、図中１１６は通常入賞口、１１７は遊技球の流下方向を変更させ遊技の面白みを高めるための風車である。
【００１４】
前記透明板保持枠１０１は、遊技盤１０４の前面を覆うようにして前記本体枠１０３の上部前面に開閉自在に装着されている。透明板保持枠１０１は前面に遊技盤１０４の遊技部１０４ａを覗く窓開口１１８が開設され、その後側に窓開口１１８を塞ぐようにして一対の透明板を平行に配設してなる透明板ユニット１１９が装着されている。また、透明板保持枠１０１の下部前面に、賞球としての遊技球を貯留し前記打球発射レール１０６に供給するための上球皿１２０が装着されている。そして、上球皿１２０から打球発射レール１０６に供給された遊技球はその発射位置に停止し、その状態で打球力調整ハンドル１１０を所望の位置まで回動することにより、打球発射装置１０７が作動して打球発射レール１０６の上面に停止する遊技球を打球する。これにより、該遊技球は内側・外側ガイドレール１１１ａ，１１１ｂ間を飛走して遊技盤１０４前面の遊技部１０４ａに打ち込まれる。
【００１５】
前記本体枠１０３の前面に形成された遊技盤収納凹部１０５の前後方向の深さは、遊技盤１０４が嵌り込む程度の寸法を有し、底壁すなわち遊技盤取付面の中央部は図示はしないが開放している。そして、遊技盤収納凹部１０５の正面視左側の上下縁のそれぞれに遊技盤１０４の左側縁部を挟んで固定する挟着部材１２１，１２１が取着されている。各挟着部材１２１は、弾性を有する金属帯板により成形されており、遊技盤収納凹部１０５を前側から見て右側が開放する平面略コ字状に形成されている。
【００１６】
そして、遊技盤収納凹部１０５の正面視にて右側の上下縁部に、遊技盤１０４の係止片部１０４ｂ，１０４ｂをそれぞれ圧着して固定する遊技盤固定装置Ａ，Ａが取着されている。なお、ここで示した例では、各遊技盤固定装置Ａを横向きにして遊技盤１０４の上下縁部の押さえ片５４，５４を圧着するように配置しているが、縦向きにして遊技盤１０４の右側縁部を圧着するように配置しても良い。また、挟着部材１２１，１２１の位置及び遊技盤固定装置Ａ，Ａの位置をそれぞれ左右逆に配置しても良い。さらに、挟着部材１２１，１２１を設けることなく、左右両側の上下縁のそれぞれに遊技盤固定装置を配置しても良い。
【００１７】
図２は本実施形態に係る遊技盤固定装置Ａを前方から見た斜視図、図３はその分解斜視図、図４は本実施形態に係る遊技盤固定装置Ａを後方から見た斜視図、図５はその分解斜視図である。遊技盤固定装置Ａは、遊技盤収納凹部１０５に取着される取付基体１と、第一支軸２によって取付基体１に回動自在に軸着される可動部材３と、第二支軸４によって取付基体１に回動自在に軸着されるリンク部材５と、第三支軸６によりリンク部材５に軸支されると共に第四支軸７により可動部材３に軸支される操作レバー８と、可動部材３に取り替え可能に装着される押圧部材９とによって概略構成されている。なお、遊技盤固定装置Ａは、前記のとおり、横向きに配置したり、縦向きに配置するなど、装着の仕方によって向きが異なることになるが、この実施形態では、説明の便宜上、図２及び図３に示されているものを基準として、前後左右上下の用語を使用する。
【００１８】
前記取付基体１は、鋼板をプレス加工して形成されており、遊技盤収納凹部１０５に取付けられる基板１１と、基板１１の上下縁から前方へ直角に突出する平行な一対の側板１２，１２とからなっている。また、基板１１には、その上下縁略中央に取着片１３，１３が形成されており、この取着片１３，１３には螺子を挿通するための螺子挿通孔１４，１４が設けられている。さらに、側板１２，１２には、その一部位（図２及び図３では左側）にタブ部１５，１５が前方突出状に形成されており、該タブ部１５，１５に第一支軸２が挿通される軸受孔１６，１６が開設されている。また、側板１２，１２の他部位（図２及び図３では右側）には、第二支軸４が挿通される軸受孔１７，１７が開設されている。
【００１９】
前記可動部材３は、鋼板をプレス加工して形成されており、中板２１と、該中板２１の上下縁から後方へ直角に突出する平行な一対の側板２２，２２とからなり、側板２２，２２は、中板２１よりも左右両側に延設されている。また、側板２２，２２の一端側（図２及び図３では右側）には、第四支軸７が挿通される軸受孔２３，２３が開設されていると共に、この一端側から後方へ鈎形に延びる基端部２４，２４が形成され、該基端部２４，２４には、第一支軸２が挿通される軸受孔２５，２５が開設されている。さらに、側板２２，２２の他端側（図２及び図３では左側）に内側へ鈎形に折曲した包持片２６，２６が形成されている。
【００２０】
前記リンク部材５は、プラスチックにより成形されており、基端部３１に透孔３２が貫通状に穿設されている。また、基端部３１の一側縁に一対の軸受片３３，３３が形成されており、該軸受片３３，３３に軸受孔３４，３４が開設されている。なお、リンク部材５は、取付基体１の側板１２，１２内に収納される。
【００２１】
前記操作レバー８は、プラスチックにより成形されており、直方体形状の棒状部４１と、該棒状部４１よりもやや薄厚のツマミ部４２とが平面略Ｌ字状となるように一体に形成されている。このうち、棒状部４１には、剛性を得るため上下両面に補強リブ４３が形成されている。また、棒状部４１には、その後端部に透孔４４が貫通状に穿設されていると共に、一側（図２及び図３では左側）の中程の部位に透孔４５が貫通状に穿設されている。
【００２２】
前記押圧部材９は、プラスチックにより成形されており、直方体形状の基部５１の一側（図２及び図３では右側）に一対の取付片（取付部）５２，５２が突出状に一体に形成されており、この取付片５２，５２のそれぞれに透孔５３，５３が開設されている。また、基部５１の下側前方縁に遊技盤１０４を圧着するための押さえ片５４が下方へ突出するように一体成形されている。さらに、基部５１の前面には、剛性を得るための補強リブ５５が形成されている。
【００２３】
ここで、図３には、押圧部材９とは別の押圧部材１０が示されているが、この押圧部材１０は、押圧部材９よりも、その基部及び押さえ片が長く形成されている。すなわち、遊技盤固定装置Ａは、寸法や形状が異なる数種の押圧部材を準備し、遊技盤の固定箇所のスペース等に応じて数種の押圧部材の中から任意に選択して付け替え可能になっている。
【００２４】
次に、上記のように構成された遊技盤固定装置Ａの組立方法について説明する。まず、予め成形された寸法や形状が異なる複数種類の押圧部材の中から装着する遊技機に適したものを選択しておく。次いで、可動部材３の基端部２４，２４を取付基体１のタブ部１５，１５の間に挿入し、タブ部１５，１５の軸受孔１６，１６と基端部２４，２４の軸受孔２５，２５とを合致させ、これらの軸受孔に第一支軸２を貫挿する。そして、第一支軸２の突出端に抜止用のＥリング６１を取着する。これにより、可動部材３が取付基体１に回転自在に軸支されることになる。さらに、取付基体１の側板１２，１２間であって、タブ部１５，１５とは反対側の部位にリンク部材５の基端部３１を挿入し、側板１２，１２の軸受孔１７，１７とリンク部材５の基端部３１の透孔３２とを合致させ、軸受孔１７，１７と透孔３２に第二支軸４を貫挿する。そして、第二支軸４の突出端に抜止用のＥリング６２を取着する。これにより、リンク部材５が取付基体１に回転自在に軸支されることになる。次に、予め選択しておいた押圧部材９を可動部材３にセットする。具体的には、押圧部材９の取付片５２，５２を可動部材３の中板２１と包持片２６，２６の間に挿入させて、可動部材３の側板２２，２２の内側に押圧部材９の取付片５２，５２を重合させると共に、側板２２，２２の軸受孔２３，２３と取付片５２，５２の透孔５３，５３とを合致させる。そして、押圧部材９の取付片５２，５２の間に操作レバー８の棒状部４１の中程側縁を挿入し、可動部材３の軸受孔２５，２５、押圧部材９の透孔５３，５３、及び操作レバー８の透孔４５，４５を合致させ、これらの孔に第四支軸７を貫挿する。そして、第四支軸７の突出端に抜止用のＥリング６３を取着する。これにより、可動部材３と操作レバー８が第四支軸７によって回動自在に軸支されることになる。なお、第四支軸７は、押圧部材９の透孔５３，５３にも貫挿されていることから、押圧部材９は可動部材３に対し強固に連結されることになる。最後に、リンク部材５の軸受片３３，３３の間に操作レバー８の棒状部４１の端部を挿入し、軸受片３３，３３の軸受孔３４，３４と棒状部４１の透孔４４とを合致させ、これらの孔に第三支軸６を貫挿する。そして、第三支軸６の突出端に抜止用のＥリング６４を取着する。これにより、リンク部材５と操作レバー８が第三支軸６によって回動自在に軸支され、遊技盤固定装置Ａの組み立てが完了する。
【００２５】
このようにして組み立てられた遊技盤固定装置Ａは、図１に示されているように、本体枠１０３の遊技盤収納凹部１０５の正面視右側上下のそれぞれに配置される。具体的には、遊技盤固定装置Ａの取付基体１に形成されている取着片１３，１３の螺子挿通孔１４，１４にビスを螺着して、遊技盤固定装置Ａを本体枠１０３の遊技盤収納凹部１０５に取り付ける。
【００２６】
次に、パチンコ遊技機Ｐの遊技盤収納凹部１０５に遊技盤１０４を収納し、該遊技盤１０４を遊技盤固定装置Ａによって固定する方法について説明する。図６（ａ）乃至（ｃ）は遊技盤固定装置Ａの動作説明図である。まず、図６（ａ）に示されているように、遊技盤固定装置Ａの押圧部材９を遊技盤１０４が受け入れられる位置に開放しておく。具体的には、指等を使って操作レバー８を後方（図６（ａ）の矢印と逆方向）へ引きながら回動させる。これによって、操作レバー８と第四支軸７で連結されている可動部材３及び押圧部材９の双方が操作レバー８に連動して回動し、図６（ａ）に示されている傾動位置に保持されるので、予めこの状態にしておく。次に、遊技盤１０４を遊技盤収納凹部１０５に収納する。具体的には、遊技盤１０４の後面を遊技盤収納凹部１０５に対向するように位置させた後、遊技盤１０４の左側縁部を遊技盤収納凹部１０５の左側に取着された挟着部材１２１，１２１内に押し込む。そして、遊技盤１０４の左側縁部を中心として遊技盤を回動させながら、遊技盤１０４を遊技盤収納凹部１０５に収納させる。後は、指を使って遊技盤固定装置Ａの操作レバー８のツマミ部４２を遊技盤１０４側（図６（ａ）の矢印方向）へ押し込めば、可動部材３に取り付けられた押圧部材９の押さえ片５４が遊技盤１０４の係止片部１０４ｂに圧着した状態で保持されることになる。ここで、押圧部材９の押さえ片５４が遊技盤１０４の係止片部１０４ｂに圧着する点について、もう少し詳しく説明すると、まず、操作レバー８のツマミ部４２を遊技盤１０４側へと押し込むと、可動部材３は、第一支軸２を支点として図６（ａ）の矢印方向へと回動する。この回動の途中において、図６（ｂ）に示されているように、第三支軸６は第二支軸４と第四支軸７を結ぶ直線Ｌに接近してくる。そして、回動部材３がさらに回動し、図６（ｃ）に示されているように、押圧部材９の押さえ片５４が遊技盤１０４の係止片部１０４ｂに当接すると、第三支軸６の中心が第二支軸４と第四支軸７を結ぶ直線Ｌを越えることになる。これにより、押圧部材９の押さえ片５４は遊技盤１０４の係止片部１０４ｂに圧着した状態が保持されることになり、操作レバー８から手を離したとしても、この強力な押圧状態が維持されることになる。すなわち、遊技盤固定装置Ａにおいて、取付基体１及びリンク部材５の軸支部である第二支軸４と可動部材３及び操作レバー８の軸支部である第四支軸７とを結ぶ直線Ｌ上に、操作レバー８とリンク部材５の軸支部である第三支軸６が至り、これを越えることにより、可動部材３に取着された押圧部材９の押さえ片５４が遊技盤１０４に圧着している状態が保持されることになる。
【００２７】
他方、遊技盤固定装置Ａの押圧部材９の押さえ片５４による遊技盤１０４への圧着状態を解除する場合は、操作レバー８のツマミ部４２を指で摘まんで手前に引き、操作レバー８を図６（ａ）の矢印と反対向きに回動させるのみで良い。
【００２８】
上記のとおり、遊技盤固定装置Ａにより遊技盤１０４を固定する場合は、操作レバー８を軽い力で遊技盤１０４側へ押してやれば良く、逆に、遊技盤１０４の固定を解除する場合には、操作レバー８を遊技盤１０４と反対側へ軽い力で引いてやれば良いので、ひいては、遊技盤１０４の交換作業がきわめて容易になし得ることになる。
【００２９】
図７（ａ）は、前記実施形態で説明した押圧部材９の変形例に係る押圧部材７０を示すものであり、図７（ｂ）は、押圧部材７０を装着した遊技盤固定装置Ａの使用例を示している。押圧部材７０は、押圧部材９と同様、プラスチックにより成形されている。この押圧部材７０において、押圧部材９と相違する点は、押圧部材９が直方体形状であるのに対し、押圧部材７０が正面視Ｌ字型に成形されている点、及び押圧部材７０には押圧部材９に設けられている押さえ片５４に相当するものが存在していない点である。このように、押圧部材７０を正面視Ｌ字型に成形したことによって、図７（ｂ）に示されているような配置が可能となり、例えば、遊技盤１０４の上下縁の横方向に設置上の制限がある場合に有効となる。また、押圧部材７０は、押圧部材９の押さえ片５４に相当するものがなく、押圧部材９０そのもので遊技盤１０４の前面を圧着することになる。なお、押圧部材は、上記に示した直方体形状、正面視Ｌ字型のものに限らず、種々の形状、大きさのものを成形し、選択することが可能である。このように、遊技盤固定装置Ａは、押圧部材を種々の大きさ、形状のものに交換可能になっていることから、取付基体、可動部材及び操作レバーを共通部品とし、使用箇所の寸法や形状に合わせて押圧部材を付け替えるだけで種々の遊技盤、若しくは遊技機に対応することができるという利点を有する。
【００３０】
なお、前記実施の形態では、遊技盤固定装置を遊技盤の前面側に取り付け、遊技盤の前面側を押圧して固定する例を示したが、これに限られず、遊技盤固定装置を遊技盤の後面側に取り付け、遊技盤の後面側を押圧して固定するようにしても良い。
【符号の説明】
【００３１】
Ａ        遊技盤固定装置
１        取付基体
２        第一支軸
３        可動部材
４        第二支軸
５        リンク部材
６        第三支軸
７        第四支軸
８        操作レバー
９        押圧部材
１０      押圧部材
１００    遊技機本体
１０４    遊技盤
【図１】
2017143871.tif 000003
【図２】
2017143871.tif 000004
【図３】
2017143871.tif 000005
【図４】
2017143871.tif 000006
【図５】
2017143871.tif 000007
【図６】
2017143871.tif 000008
【図７】
2017143871.tif 000009